(57)【要約】【課題】寝姿勢を悪くすること無く、立位の状態における脊柱の形態を維持し、これにより腰痛等を防止することが可能なマットレスを提供すること。【解決手段】スポンジ等の弾性部材により構成されるマットレス本体（２）と、該マットレス本体（２）の長手方向に沿った上部近傍に備えられた、スポンジ等の弾性部材により構成される枕部（３）と、前記マットレス本体（２）における利用者の胴体部分が載置される箇所近傍（４）及び、前記枕部（３）における利用者の頭部が載置される箇所近傍（５）の内部にマットレス本体（２）の長手方向と並行に埋め込んだ、その内部にエアーを入れた複数本の細長状のゴムチューブ（８）と具備することを特徴とし、これにより利用者の体圧でゴムチューブ内のエアーを移動させ、利用者の体とマットレスとの間に空間ができることを防止して、立位の状態における脊柱の形態を維持することを可能としている。【選択図】　　　　　　　図１
2004033584.tif 000002
【特許請求の範囲】
【請求項１】
スポンジ等の弾性部材により構成されるマットレス本体（２）と、
該マットレス本体（２）における利用者の胴体部分が載置される箇所近傍（４）の内部にマットレス本体（２）の長手方向と並行に埋め込んだ、その内部にエアーを入れた複数本の細長状のゴムチューブ（８）と、を具備することを特徴とするマットレス。
【請求項２】
スポンジ等の弾性部材により構成されるマットレス本体（２）と、
該マットレス本体（２）の長手方向に沿った上部近傍に備えられた、スポンジ等の弾性部材により構成される枕部（３）と、
前記マットレス本体（２）における利用者の胴体部分が載置される箇所近傍（４）及び、前記枕部（３）における利用者の頭部が載置される箇所近傍（５）の内部にマットレス本体（２）の長手方向と並行に埋め込んだ、その内部にエアーを入れた複数本の細長状のゴムチューブ（８）と、を具備することを特徴とするマットレス。
【請求項３】
前記ゴムチューブ（８）を埋め込む箇所近傍（４、５）の素材を他の部分よりも柔らかい素材としたことを特徴とする請求項１又は請求項２に記載のマットレス。
【発明の詳細な説明】
【０００１】
【発明の属する技術分野】
本発明はマットレスに係り、より詳しくは、スポンジ等の弾性部材により構成されるマットレス内部に、エアーを入れた複数本の細長状のゴムチューブをマットレスの長手方向と並行方向に埋め込み、これにより腰痛等の防止に効果的としたマットレスの発明に関する。
【０００２】
【従来の技術及び発明が解決しようとする課題】
寝具等として用いられるマットレスでは、一般的に、柔らかすぎると利用者の体が沈み込んでしまい寝姿勢が悪くなるために、ある程度の硬さが必要とされている。
【０００３】
しかしながら、その一方、人間の躯幹の支柱をなす脊柱は複数個の椎骨の連鎖により成り立っており立位の状態では略Ｓ字形状をしているため、硬いマットレスを使用した場合には、利用者の自重により脊柱に変形する方向の圧力がかかってしまうという問題点が考えられる。例えば、硬いマットレスに寝た場合には、腰部とマットレスとの間には空間部ができてしまい、これにより腰椎に負担がかかるとともに脊柱全体に筋緊張が生じてしまい、その結果、腰痛を招いてしまうという問題点が考えられる。
【０００４】
そこで、本発明は、寝姿勢を悪くすること無く、立位の状態における脊柱の形態を維持し、これにより腰痛等を防止することが可能なマットレスを提供することを課題としている。
【０００５】
【課題を解決するための手段】
本発明のマットレスは、スポンジ等の弾性部材により構成されるマットレス本体と、該マットレス本体内部における、利用者の胴体部分が載置される箇所近傍に、マットレス本体の長手方向に沿って埋め込んだ、その内部にエアーを入れた複数本の細長状ゴムチューブと、を具備することを特徴としている。
【０００６】
本発明のマットレスでは、利用者の胴体部分が載置される箇所近傍の内部に、マットレスの長手方向に沿って複数本の細長のゴムチューブを埋め込んでいるために、このゴムチューブ内のエアーの移動により、マットレスと利用者の脊柱部分との間に空間ができてしまうことを有効に防止することが可能である。
【０００７】
即ち、本発明のマットレスに利用者が寝た場合においては、躯幹におけるマットレス側に突出している部分、例えば臀部がマットレスに接触するとともにマットレスに沈み込むと、マットレス内部に埋め込んだゴムチューブ内において、臀部により押圧された部分のエアーが、他の部分、具体的には、腰部が載置される箇所の内部に位置する部分に移動するとともに、このエアーの移動により、ゴムチューブの当該部分が膨らみ、これにより、その膨らみの影響でマットレスが腰部に当接する。そうすると、マットレスと腰部との間の空間が無くなり、立位の状態における脊柱の形態を維持することが可能となる。
【０００８】
このように、本発明のマットレスでは、立位の状態における脊柱の形態を維持することができるため、腰痛等を防止、あるいは和らげることが可能となる。
【０００９】
【発明の実施の形態】
請求項１に記載の本発明のマットレスでは、スポンジ等の弾性部材により構成されるマットレス本体を備えており、このマットレス本体の内部における利用者の胴体部分が載置される箇所近傍には、マットレス本体の長手方向と並行に、内部にエアーを入れた複数本の細長状のゴムチューブが埋め込まれている。
【００１０】
また、請求項２に記載の本発明のマットレスでは、スポンジ等の弾性部材により構成されるマットレス本体と、このマットレス本体の長手方向に沿った上部近傍に備えられた、スポンジ等の弾性部材により構成される枕部とを備えており、更に、前記マットレス本体の内部における利用者の胴体部分が載置される箇所近傍と、前記枕部における利用者の頭部が載置される箇所近傍の内部にはそれぞれ、内部にエアーを入れた細長のゴムチューブが複数本、マットレス本体の長手方向と並行に埋め込まれている。
【００１１】
【実施例】
本発明のマットレスの実施例について図面を参照して説明すると、図１は本実施例のマットレスを示す概略斜視図であり、図２（ａ）は図１におけるＡ−Ａ線断面図、図２（ｂ）は図１におけるＢ−Ｂ線断面図、及び図３は図１におけるＣ−Ｃ線断面図である。
【００１２】
そして、図において１が本実施例のマットレスであり、本実施例のマットレス１は、マットレス本体２を備えている。
【００１３】
ここで、このマットレス本体２について説明すると、本実施例のマットレス１におけるマットレス本体２は、全体を硬めのスポンジにより構成しており、具体的には、このスポンジを、図示を省略するシーツ等のカバー材により覆って構成している。また、マットレス本体２は、全体として直方体形状にするとともに、一般的な大人が十分に寝ることのできる寸法としている。具体的には、本実施例におけるマットレス本体２は、全長１９５ｃｍ、幅９０ｃｍ、及び高さ６ｃｍに設定している。但し、この寸法は任意であり、必ずしもこの寸法に限定されるものではない。
【００１４】
次に、図において３は枕部であり、本実施例のマットレス１では、前記マットレス本体２に枕部を装備している。即ち、図１において、長手方向に沿った上端部に、高さをマットレス本体２よりも高くした枕部３を連設しており、利用に際してはこの枕部３上に頭部を載置可能としている。
【００１５】
なお、本実施例においてこの枕部３は、前記マットレス本体２と同様に全体をスポンジにより構成するとともに、その幅は、マットレス本体の長手方向に沿った両端部間の寸法とほぼ同様にしている。また、この枕部３は、マットレス本体２の長手方向に沿った寸法を約３５ｃｍとし、その高さ寸法を約１１ｃｍとしている。但しこの枕部３の寸法は限定されるものではなく、また、この枕部３の幅に関しても、必ずしもマットレス本体２の長手方向に沿った両端部間の寸法と同様にする必要は無い。
【００１６】
次に、図において斜線で示した部分４はチューブ埋め込み部であり、即ち、本実施例のマットレス１では、前記マットレス本体２において利用者の胴体部近傍が載置される箇所を、マットレス本体２を構成するスポンジよりも柔らかいスポンジにより構成し、かかる箇所をチューブ埋め込み部４としている。
【００１７】
そして、このチューブ埋め込み部４では、図２及び図３に示すように、マットレス本体２の長手方向と並行に、一定間隔を置いて複数本の切り込み６を形成しており、この切り込み６内にそれぞれ、内部にエアーを入れた細長状のゴムチューブ８を埋め込んでいる。なお、本実施例のマットレス１では、１１本の切り込み６を形成するとともに、この切り込み６内に１２本のゴムチューブ８を埋め込んでいる（図２参照）。
【００１８】
ここで、前記ゴムチューブ８について説明すると、本実施例においてこのゴムチューブ８としては、一般的に市販されている細長の風船等に用いられるゴムと同様のゴムにより構成したものを用いている。
【００１９】
そして、本実施例においては、前記切り込み６の全長としては約７０ｃｍ程度としており、また、前記ゴムチューブ８の寸法としては、直径約５．５ｃｍ程度でその全長は前記切り込み６に埋め込み可能な寸法としている。更に、切り込み６の深さは任意であるが、ゴムチューブ８全体がマットレス内に完全に埋没する程度にするとよい。
【００２０】
次に、前記枕部３には、前記マットレス本体２のチューブ埋め込み部４と同様にして、マットレス本体２の長手方向と並行に複数本の切り込み７を形成しており、この切り込み７の内部に、前記マットレス本体２に埋め込んだチューブと同様の素材、径のゴムチューブ８を埋め込んでいる。そして、この枕部３に関しても、ゴムチューブ８を埋め込む箇所近傍５を、前記チューブ埋め込み部６と同様の柔らかいスポンジにより構成している。なお、枕部３に形成する切り込み７に関しても、ゴムチューブ８全体がマットレス内に完全に埋没する程度の深さにするとよい。
【００２１】
次に、以上のように構成される本実施例のマットレス１の作用について説明すると、本実施例のマットレスに利用者が仰向きに寝ると、利用者の胴体におけるマットレス側に突出する部分、例えば臀部等がマットレス１に沈み込むとともに、前記チューブ８における、利用者の胴体におけるマットレス１側に突出する部分が載置される箇所の下部にある部分が体圧を受ける。そうすると、かかる部分のエアーが他の部分、具体的には、利用者の胴体におけるマットレス１との間に空間ができる部分、例えば腰部が載置される箇所の下部にある部分に移動し、これにより、ゴムチューブ８における当該部分が膨らむとともに、ゴムチューブ８の膨らみに伴って当該部分におけるマットレス本体が利用者の体に当接し、利用者の体とマットレスとの間に空間ができることを防止する。そしてこれによって、利用者の脊柱を立位の状態と同じ形態で維持される。
【００２２】
また、利用者の頭部が枕部３に沈み込むことにより枕部３内に生め込んだゴムチューブ８内のエアーが移動し、利用者の頚椎近傍に対応した箇所のゴムチューブ８内にエアーが集中してかかる部分が膨らみ、これとともにゴムチューブ８の膨らみに伴って当該部分における枕部３が利用者の頚椎部分に当接し、マットレス１と頚椎部分との間に空間ができることを防止する。そしてこれにより、利用者の脊柱を立位の状態と同じ形態で維持される。
【００２３】
このように、本実施例のマットレスでは、内部に生め込んだゴムチューブ内のエアーの移動により利用者の脊柱の略Ｓ字形態を維持することができるため、寝姿勢を悪くすること無く、腰痛等を和らげ、あるいは腰痛等を防止することが可能である。
【００２４】
なお、本実施例のマットレス１では、前述したように、ゴムチューブ８を埋め込む箇所近傍を他の部分よりも柔らかい素材により構成しているため、ゴムチューブ８の膨らみをより効果的にマットレスの膨らみに反映させることが可能である。
【００２５】
【発明の効果】
本発明のマットレスは以上説明した形態で実施され、以下に記載するような効果を奏する。
【００２６】
本発明のマットレスは、スポンジ等の弾性部材により構成されるマットレス本体と、該マットレス本体内部における、利用者の胴体部分が載置される箇所近傍に、マットレス本体の長手方向に沿って埋め込んだ、内部にエアーを入れた複数本の細長状ゴムチューブと、を具備することを特徴としている。
【００２７】
本発明のマットレスでは、その内部に、マットレスの長手方向に沿って複数本の細長のゴムチューブを埋め込んでいるために、このゴムチューブ内のエアーの移動により、マットレスと利用者の脊柱部分との間に空間ができてしまうことを有効に防止することが可能である。
【００２８】
このように、本発明のマットレスでは、立位の状態の脊柱の形態を維持することができるために、腰痛等を防止、あるいは和らげることが可能となる。
【図面の簡単な説明】
【図１】本発明のマットレスの実施例を示す斜視図である。
【図２】本発明のマットレスの実施例における長手方向に向けた構造を示す断面図であり、（ａ）は図１におけるＡ−Ａ線断面図、（ｂ）は図１におけるＢ−Ｂ線断面図である。
【図３】図１におけるＣ−Ｃ線断面図である。
【符号の説明】
１　　マットレス
２　　マットレス本体
３　　枕部
４、５　　チューブ埋め込み部
６、７　　切り込み部
８　ゴムチューブ
【図１】
2004033584.tif 000003
【図２】
2004033584.tif 000004
【図３】
2004033584.tif 000005